(57)【要約】【課題】ドア側の磁石と床面に揺動自在に設置された磁性体プレートとを吸着させることによりドアを全開位置に固定する戸当りであって、容易かつ確実にドアを全開位置にロックすることができ、しかもプレートを確実に係合し得る戸当りを提供することを目的とする。【解決手段】床面に固定された台座と、当該台座に旋回自在に取り付けられた磁性体からなるプレートと、ドアの下端部付近に固定された筐体と、該筐体の下部から前記ドアに沿って下方に延びる鉤と、該筐体内を上下方向に移動するロッドと、該ロッドの上端に一体的または別体として設けられ、該ロッドを上下させる被押圧部と、前記筐体内に設けられた磁石からなる戸当りであって、前記ロッドと前記被押圧部とが、共働機構を介して連結され、前記プレートに突起が設けられ、前記磁石によって前記プレートが持ち上げられ、前記被押圧部が押圧されたときに、前記突起と前記鉤とが係合することを特徴とする。【選択図】図１
2010059759.tif 000002
【特許請求の範囲】
【請求項１】
床面に固定された台座と、当該台座に旋回自在に取り付けられた磁性体からなるプレートと、ドアの下端部付近に固定された筐体と、該筐体の下部から前記ドアに沿って下方に延びる鉤と、該筐体内を上下方向に移動するロッドと、該ロッドの上端に一体的または別体として設けられ、該ロッドを上下させる被押圧部と、前記筐体内に設けられた磁石からなる戸当りであって、
前記ロッドと前記被押圧部とが、共働機構を介して連結され、
前記プレートに突起が設けられ、前記磁石によって前記プレートが持ち上げられ、前記被押圧部が押圧されたときに、前記突起と前記鉤とが係合することを特徴とする戸当り。
【請求項２】
前記共働機構が、前記ロッドと前記被押圧部とを一体的に固定する固定手段であることを特徴とする請求項１記載の戸当り。
【請求項３】
前記共働機構が、ラックとピニオンであることを特徴とする請求項１記載の戸当り。
【請求項４】
前記共働機構が、ギアであることを特徴とする請求項１記載の戸当り。
【請求項５】
前記共働機構が、圧縮コイルバネであることを特徴とする請求項１記載の戸当り。
【請求項６】
前記プレートに第２の突起が設けられ、前記筐体の下部に前記第２の突起が収容される収容部が設けられてなる請求項１〜５のいずれかに記載の戸当り。
【請求項７】
前記ロッドの下端が、テーパ状に湾曲した形状を呈することを特徴とする請求項１〜６のいずれかに記載の戸当り。
【請求項８】
床面に固定された台座と、前記台座に旋回自在に取り付けられた磁性体からなるプレートと、ドアの下端部付近に固定された筐体と、該筐体内を上下方向に移動するロッドと、該ロッドの上端に連結され、ロッドを上下させる被押圧部と、前記筐体内に設けられた磁石からなる戸当りであって、
前記ロッドの下端部に鉤が形成され、
前記プレートに突起が形成され、前記磁石によって前記プレートが持ち上げられ、前記被押圧部が上方へ押し戻されたときに、前記突起と前記鉤とが係合することを特徴とする戸当り。
【請求項９】
前記プレートに第２の突起が設けられ、前記筐体の下部に前記第２の突起が収容される収容部が設けられてなる請求項８記載の戸当り。
【発明の詳細な説明】
【技術分野】
【０００１】
本発明は戸当りに関する。さらに詳しくは、ドア側の磁石に、床面に揺動自在に設置された磁性体からなるプレートを吸着させることにより、ドアを全開位置に仮固定および完全固定することができる戸当りに関する。
【背景技術】
【０００２】
従来より、図１３〜１５に示すように、ドア５０の開閉によりドア５０またはノブ５１が壁またはドア５０周辺の家具やキャビネット５２などに衝突し、これらに損傷が生じるのを防ぐために戸当り５３がドア５０の付近の床５４に設けられている。
【０００３】
かかる戸当り５３としては、床５４に立設される雄ねじ（図示せず）に螺着される基部５５と、該基部５５の上部に固着される緩衝体５６とからなるものがある。
【０００４】
また、ドア５０を開放状態にしておくために、前記基部５５内に差し込まれているＵ字状の止め金具５７を引き抜き、ドア５０の側面に設けられた鉤付き座金５８の鉤部５９に係止するようにしている。
【０００５】
しかしながら、前記戸当り５３では、常時床５４に立設されているため、前記ドア５０が戸当り５３に固定されていない場合、歩行中誤って戸当り５３に蹴つまづいてしまう惧れがある。
【０００６】
また、運搬物、たとえばキャビネット５２を移動させる際に邪魔になり、誤ってキャビネット５２が戸当り５３に衝突すると、キャビネット５２がへこんだり、戸当り５３が変形する惧れがある。さらに、床掃除をする際に邪魔になっていた。
【０００７】
さらに、従来の戸当り５３は、常時床５４に立設されているため、床５４の上に異物が突出しているように見え、美観上好ましくない。
【０００８】
一方、床から出没自在の戸当りも種々検討されており、従来より知られている出没自在の戸当りとして、磁石を用いた戸当りなどがある。特許文献１および特許文献２に記載された磁石を用いた戸当りは、たとえば、床面に揺動自在に設置された磁性体プレートを、ドア側の磁石に吸着させることによりドアを全開位置に固定している。
【０００９】
また、特許文献３には、床面Ｆに設けられたプレート６０に係止軸６１が係止し、ドアＤに強い力が加わった場合に、係止軸６１の上部に連結されたコイルバネ（図示せず）が上方向に向かって力を受けることにより、係止軸６１が係止凹部６２から外れ、戸当りが壊れないようにされているものが開示されている。
【００１０】
【特許文献１】特許第２９９０６０１号公報
【特許文献２】特開平１０−１１５５１３９号公報
【特許文献３】特許第３４７７１５４号公報
【発明の開示】
【発明が解決しようとする課題】
【００１１】
しかし、ドアの表面積は比較的広いので、ドアに風が当って強い力が加われば、磁石とプレートとの間の吸着力のみでは、ドアを全開位置に保持することができなくなり、ドアが勢いよく閉まってしまうなどの問題がある。
【００１２】
また、ドアを開放位置に仮止めできるように、磁石下面にロッドを突設し、磁性体プレートに該ロッドを係合するための凹部または貫通孔を形成することが考えられるが、この場合、ロッドは磁石に吸引されたプレートの前縁を乗り上げて凹部または貫通孔に係合しなければならず、係合を確実に行なうことが難しいという問題がある。
【００１３】
また、特許文献３では、ドアＤに強い力ｆが加わった場合に、プレート６０の凹部６２から係止軸６１が抜けるようにするために、バネ定数を算出したうえで、そのようなバネ定数を採用する必要がある。すなわち、バネ定数の弱いバネでなければ、ドアＤに加わる力ｆが、係止軸６１を上方に押し戻す上方向の分力が働かないので、バネ定数の弱いバネを採用する必要がある。また、係止軸６１の形状、プレート６０の凹部６２の形状も、凹部６２から係止軸６１が抜けるように、抜けやすい形状、すなわち、図１２に示されるような形状である必要がある。特許文献３のような戸当りでは、バネ定数が弱い場合には、すぐに係止状態が解除されてしまい、強固にドアＤをロックすることができない。
【００１４】
本発明はかかる問題を解消するためになされたものであり、ドア側の磁石と床面に揺動自在に設置された磁性体プレートとを吸着させることによりドアを全開位置に仮固定および完全固定する戸当りであって、容易かつ確実にドアを全開位置にロックすることができ、しかもプレートを確実に係合し得る戸当りを提供することを目的とする。
【００１５】
すなわち、特許文献３は、弱いバネを用い、かつ互いに外れやすい係止軸、係止凹部の形状を用い、ドアに強い力が加わっても、係止軸と係止凹部の係合が解かれ、本体が壊れないという技術的思想であり、本願発明は特許文献３とは全く逆の技術的思想、すなわち、ドアに強い力が加わった場合に、プレートと鉤がしっかりと係合し、戸当りが破壊されない限り、強固に係止するという技術的思想により、ドアを確実に全開位置でロックすることを目的とするものである。
【課題を解決するための手段】
【００１６】
本発明の戸当りは、床面に固定された台座と、当該台座に旋回自在に取り付けられた磁性体からなるプレートと、ドアの下端部付近に固定された筐体と、該筐体の下部から前記ドアに沿って下方に延びる鉤と、該筐体内を上下方向に移動するロッドと、該ロッドの上端に一体的または別体として設けられ、該ロッドを上下させる被押圧部と、前記筐体内に設けられた磁石からなる戸当りであって、前記ロッドと前記被押圧部とが、共働機構を介して連結され、
前記プレートに突起が設けられ、前記磁石によって前記プレートが持ち上げられ、前記被押圧部が押圧されたときに、前記突起と前記鉤とが係合することを特徴とする。
【００１７】
また、前記共働機構が、圧縮コイルバネであることが好ましい。
【００１８】
また、前記プレートに第２の突起が設けられ、前記筐体の下部に前記第２の突起が収容される収容部が設けられてなることが好ましい。
【００１９】
また、前記ロッドの下端が、テーパ状に湾曲した形状を呈することが好ましい。
【００２０】
また、本発明の戸当りは、床面に固定された台座と、前記台座に旋回自在に取り付けられた磁性体からなるプレートと、ドアの下端部付近に固定された筐体と、該筐体内を上下方向に移動する上下に延びるロッドと、該ロッドの上端に一体的または別体として設けられ、該ロッドを上下させる被押圧部と、前記筐体内に設けられた磁石からなる戸当りであって、前記ロッドの下端部に鉤が形成され、前記プレートに突起が形成され、前記磁石によって前記プレートが持ち上げられ、前記被押圧部が上方へ押し戻されたときに、前記突起と前記鉤とが係合することを特徴とする。
【００２１】
また、前記プレートに第２の突起が設けられ、前記筐体の下部に前記第２の突起が収容される収容部が設けられてなることが好ましい。
【発明の効果】
【００２２】
本発明によれば、磁石の吸引力により床上のプレートを揺動させる戸当りに、さらに、プレートと筐体とを着脱自在に係合するロック機構を設けたことにより、無理やりドアＤを開／閉動作することにより、当該ロッドに強い力を加えた場合でも、本発明の戸当りを破壊しない限り、鉤とプレートに設けられた突起との係合が解除されることはない。したがって、ドアＤに風や人が当っても不意に閉まるなどの問題がなくなるため、強い風が当りやすい高層マンションのドアなども容易かつ確実に全開位置に完全固定することができ、さらに老人、子供、ペットなどが不意にドアにもたれかかっても、ドアＤは全開位置に保持されたままである。
【００２３】
しかも、筐体からプレートを押圧するロッドが出没自在に設けられているため、被押圧部を押圧することにより、確実に係合することができ、係合状態から被押圧部を押圧することにより、容易に係合状態の解除をすることができる。
【００２４】
また、戸当りを使用しない場合には、プレートの表面がフラットに形成されているため、プレートが床面とほぼ面一になり、歩行やキャビネットなど運搬物の移動を安定に行なうことができる。
【００２５】
また、プレートに第２の突起が設けられ、前記筐体の下部に前記第２の突起が収容される収容部が設けられているので、プレートと筐体との間で仮固定ができ、プレートの位置決めが可能であるので、確実に係合させることができる。すなわち、本発明では、磁石とプレートにより、仮止めをすることができ、さらに、プレートに設けられた第２の突起により、仮固定をすることができ、鉤とプレートとの係合により、完全固定するという三段階のステップにより、扉を開放位置に保持することができる。
【００２６】
また、ロッドの下端がテーパ状に湾曲しているので、被押圧部を下方に押し下げ、ロッドを下方に押し下げた状態で、扉を開放位置まで開いた場合、開放位置で被押圧部を押し下げることなく、自動で、完全固定状態を実現することができる。すなわち、ロッドの下端にテーパ状の湾曲面があるので、磁石に吸着され、上方に旋回したプレートから、横方向から力を受けたロッドに、上向きに分力が働き、ロッドは上方に押し上げられることにより、扉の全開状態で被押圧部を押圧することなく、完全固定状態を実現することができる。これにより、荷物を持った状態など、両手がふさがった状態や、足で被押圧部を操作するのが困難な状態であっても、扉を全開状態で完全固定が可能である。
【発明を実施するための最良の形態】
【００２７】
つぎに図面を参照しながら本発明の戸当りを詳細に説明する。図１は本発明の戸当りの一実施の形態を示す斜視説明図、図２は本発明に用いられるプレートの一実施の形態を示す図、図３は本発明の戸当りを説明する側面図、図４は本発明の図１の磁石を下から見た図、図５は図１のケース内部を上から見た図、図６は図１の磁石におけるロッドのための昇降機構の主要部の動きを示す工程説明図、図７は本発明の戸当りの一実施の形態のロッドとプレートとが係合する工程を示す工程説明図、図８は本発明の戸当りの他の実施の形態のロッドとプレートとが係合する工程を示す工程説明図、図９は本発明のプレートに設けられる第２の突起を説明するための図、図１０は本発明に用いられるロッドの他の実施の形態を説明するための図、図１１は本発明に用いられるロッドの他の実施の形態の一例を示す図、図１２は本発明に用いられるロッドの他の実施の形態の動作を説明するための図である。
【００２８】
図１に示される戸当りは、大きく分けて床面Ｆに設置された台座部分１と、ドアＤに固着され、ドアＤの下端部付近に固定された筐体２とから構成されている。ここでドアＤの下端部付近とは、たとえばドアＤの下端縁ＬＥから、約１０〜２０ｍｍくらいまでの範囲内をいうが、特にその高さは限定されるものではない。また、筐体２は、床面Ｆに設けられた台座部分１上のプレート４と筐体２のロッド８が係合し得る高さに設けられる。
【００２９】
台座部分１は、図１、図２に示されるように、床面Ｆにネジなどで固定されたナイロン、ポリアセタールなどのエンジニアリング樹脂や亜鉛合金などからなる台座３に、鉄などの磁性体からなるプレート４が揺動自在に取り付けられている。台座部分１の設置方法については、本発明ではとくに限定するものではなく、図１のように床面Ｆに直接ビス止めしてもよいし、または床に形成される埋設穴に埋設してもよい。
【００３０】
台座部分１は、図２（ａ）〜（ｄ）に示されるように、台座３と、プレート４と、軸押さえ板３ｆとから構成されている。
【００３１】
プレート４の床面Ｆに対抗する面（以下、裏面）には、後述する筐体２の下部に設けられた鉤５に係合し得る突起７が形成されている。後述するように、プレート４は、筐体２のロッド８によって下方に押圧され、鉤５と係合する。
【００３２】
プレート４は、鉄などの磁性体材料により作製され、たとえば図２に示されるように、１枚の薄い鉄板をプレス加工して突起７を形成したり、または２枚以上の金属板を積層してもよい。
【００３３】
プレート４の突起７の形状は、本発明においてとくに限定されるものではなく、鉤５の形状に対応するように選定すればよい。
【００３４】
台座３には、図２（ｂ）に示されるように、プレート４を収容する矩形の開口部３ａが形成されている。プレート４は、台座３の開口部３ａに下方から挿入され、プレート４の後端両側に突設された軸部４２は、下方に開いた一対の軸受凹部３ｂに回転自在に挿入されている。
【００３５】
図２（ｂ）に示されるように、一対の軸受凹部３ｂは、台座３の下面にかしめる、またはかしめなどにより固着された、軸押さえ板３ｄによって閉塞されているので、軸部４２が台座３の軸受凹部３ｂから脱落する心配がない。また、図２（ｄ）に示されるように、軸押さえ板３ｄの中央部には、突片３ｅが前方に突設されている。突片３ｅは、プレート４の下方への落込みを防止している。
【００３６】
また、図２（ａ）〜（ｄ）に示されるように、台座３の裏面には、プレート４が磁石９に衝突するときにプレート４の後端に当接し得る当接部３ｃが設けられているため、磁石９に衝突したときにプレート４が受ける衝撃を当接部３ｃで受けることができ、プレート４の軸部４２（図２（ｃ）参照）などの破損を防止することができる。
【００３７】
また、図２（ｃ）、図７（ａ）〜（ｃ）に示されるように、プレート４の裏面には、薄いゴム層などからなる緩衝体４１が設けられている。そのため、図７（ｃ）に示されるプレート４の上方位置から図７（ｂ）に示されるプレート４の下方位置に移行するときに、プレート４下面の緩衝体４１がプレート４と床面Ｆとの衝突を緩和するので、大きな金属音の発生を防止することができる。
【００３８】
しかも、プレート４の軸部４２には、プレート４の揺動角度を規制するための傾斜部４３が、プレート４の後方（図２（ｃ）では右方向）へ向かうにつれて上昇する方向に形成されている。そのため、プレート４が所定の揺動角度（たとえば３０度程度）まで上方へ揺動すれば、傾斜部４３が台座３の下面に面接触することによって、プレート４の揺動角度を正確に規制することができる。
【００３９】
筐体２は、図７（ａ）〜図８（ｃ）に示されるように、ドアＤの下端ＬＥの周縁に木ネジやボルト・ナット、釘などの従来知られた固着手段によって固着され、当該筐体２の下面に若干突出するように、後述するピン１９廻りに回動自在に取り付けられた一対の磁石９と、筐体２の上部に上下動自在に挿入された被押圧部６と、被押圧部６と連結されたロッド８と、筐体２内部に収容され、前記被押圧部６を上方へ付勢する圧縮コイルバネ１０と、筐体２の裏面を覆う裏蓋１１とから構成されている。
【００４０】
被押圧部６は図１および図３では、略四角柱の形状を呈しているが、足で踏むことができれば、その形状は特に限定されることはなく、略円柱でも構わないし、多角柱状でも構わない。また、ロッド８の形状も、プレート４を押圧することができる形状であればその形状は特に限定されることはない。
【００４１】
なお、本実施の形態では、一対の磁石９を備えた例をあげて説明しているが、本発明はこれに限定されるものではなく、磁力の強い磁石を１個備えたものであってもよく、この場合、筐体２全体をコンパクトにすることが可能である。
【００４２】
筐体２の下面２ａは、後方に向かうにつれて上昇するように傾斜しており、上方に揺動したプレート４と磁石９とがぴったりと面接触できるようになっている。また、筐体２の下面２ａの奥端には、ドアＤに沿って下方に延びる壁部２ｂが形成されており、壁部２ｂに対して、磁石９に吸着されたプレート４の先端が衝突するようになっている。筐体２の壁部２ｂは、プレート４との衝突の際の衝撃を吸収できるように、合成樹脂で作製したり、表面にゴムなどを貼着したりするのが好ましい。
【００４３】
壁部２ｂの場所は適宜変更することが可能であり、図８に示される実施の形態においては、ロッド８が下方に突出しやすいように、ロッド８が出没する開口のドアＤからの遠位端に設けることもできる。
【００４４】
一対の磁石９は、前述したように筐体２内部においてピン１９廻りに回動自在に設けられているため、磁性体からなるプレート４が上方へ旋回して磁石９に吸着されるときに、プレート４に押された磁石９も若干回動することにより、ドアのガタや戸当りの取付誤差などの誤差を自動的に修正することができ、磁石９はプレート４に常に面接触することが可能である。
【００４５】
なお、本実施の形態では磁石９が回動自在である例が示されているが、本発明はこれに限定されるものではなく、磁石９を筐体２に固定してもよい。
【００４６】
本実施の形態において、プレート４を筐体２にロックするためのロック機構は、筐体２の下部に設けられた鉤５から構成されている。鉤５は、プレート４の突起７に係合しやすいように形成されている。鉤５は、筐体の下部から前記ドアに沿って下方に延び、そこからドアに対してほぼ垂直に延びた受け部の先端が上方に突出した鉤部を有することにより、プレート４の突起７の先端が、鉤５の前記受け部に載る。そしてプレート４がロッド８により下方に落とし込まれたときに、プレート４の突起７と鉤５の鉤部が係合し、ドアをロックすることができる。
【００４７】
ロッド８は、被押圧部６に共働機構を介して連結されている。共働機構は、ロッド８と被押圧部６とを一体的に固定する固定手段とすることができる。すなわち、ロッド８と被押圧部６が一体的に成形することにより、ロッド８と被押圧部６を一部材とすることもできるし、溶接、融着、ネジ等の公知の固着手段により、固着して一体とすることもでき、特に固定手段は限定されることはない。
【００４８】
また、共働機構は、ラックとピニオン、ギア、クランク部材等の公知のリンク機構により、被押圧部６の押圧により、ロッド８の上下運動が得られるようにすることもできる。
【００４９】
また、共働機構としては、図３に示されるように、たとえば圧縮コイルバネを用いることもできる。当該圧縮コイルバネのバネ定数は、バネ定数が弱すぎると、磁石９からプレート４を下方へ押し下げることができないので、被押圧部６を押圧し、ロッド８によりプレート４を磁石９から離れるのに充分に強いバネ定数が採用される。このような共働機構である圧縮コイルバネを採用することにより、ロッド８によって確実にプレート４を下方に押圧することができ、鉤５と突起７を係合することが容易になっている。
【００５０】
また、共働機構としては、圧縮コイルバネに限られるものではなく、ボタンの押圧により、モータが回転し、ロッド８を上下させる機構を用いることもできるし、ボタンの押圧により電磁石が起動され、当該電磁石によりロッド８を上下させることもできる。
【００５１】
また、筐体２のドアＤに沿って、上方に延長された表示部１６を形成してもよい。本実施の形態において、表示部１６は、筐体２と一体的に形成されているが、別体とすることも可能である。表示部１６により、被押圧部６を下方に押してロッド８を下方に突出させたときに、表示部１６が見えることにより、ロッド８が突出していることを視認することができる。
【００５２】
さらに、本実施の形態の戸当りは、被押圧部６およびロッド８を所定の下方位置に容易にロックしたり、または解除したりできるように、裏蓋１１の内側に昇降機構を備えている。
【００５３】
昇降機構は、図６（ａ）〜（ｄ）に示されるように、前記被押圧部６の後面に回転自在に取り付けられた係止部１２ａを有する係止体１２と、筐体２の後面に設けられた、前記係止体１２に当接し得る当接体１４と、前記筐体２の後面の前記当接体１４よりも上側に設けられた、前記係止体１２の係止部１２ａを係止するための突部１３とから構成されている。
【００５４】
昇降機構は、以下のようにして被押圧部６およびロッド８のロックを行なう。まず、足で被押圧部６を押し下げれば、係止体１２が筐体２の後面に形成された溝１５内部を下降し、当接体１４が係止体１２に当接して係止体１２を回転させる（図６（ｂ）参照）。
【００５５】
そののち、足を被押圧部６から離せば、被押圧部６は、前記圧縮コイルバネ１０の付勢力によって上昇するが、係止体１２の係止部１２ａが突部１３に係止されたときに所定の下方位置にロックされる（図６（ｃ）参照）。このとき、ロッド８の下端は、筐体２から若干下方に突出する（図７（ｃ）参照）。
【００５６】
さらに、もう１度、足で被押圧部６を押し下げれば、図６（ｄ）のように、当接体１４がさらに係止体１２を回転させることにより、被押圧部６のロックを解除することができる。
【００５７】
本実施の形態の戸当りを使用する場合、図６（ａ）および図７（ａ）に示されるように、まずロッド８を筐体２内に収容しておき、この収容状態で、ドアＤを全開位置まで開ける。
【００５８】
ドアＤが全開位置までくると、図７（ｂ）に示されるように、プレート４は上方へ揺動して磁石９の下面に吸着される。ここで、被押圧部６を足で押し下げれば、図７（ｃ）に示されるようにプレート４がロッド８により下方に押圧され、鉤５と突起７とが確実に係合する。それにより、ドアＤは、全開位置に容易かつ確実にロックされ、ドアＤに風が当っても不意に閉まることがなくなる。
【００５９】
またドアＤに人や動物がぶつかったり、無理にドアＤを閉めようとしても、戸当り自体が破壊されない限り、ロックが解除されることはなく、強固にドアＤを全開位置に固定することができる。
【００６０】
一方、ドアＤのロックを解除したい場合には、再度、足で被押圧部１０を踏めば、ロッド８は上方へ移動し、かつプレート４は磁石９により筐体２に吸着されてロックが解除されるので（図７（ｂ）参照）、ロック解除後は、ドアＤを容易に閉めることができる。
【００６１】
なお、ロック解除の状態でも、ドアＤを全開位置まで開ければ、プレート４が磁石９に吸着されるので、ドアＤは弱い力で全開位置に保持される。したがって、荷物の搬入を行なう場合など、一時的にドアＤを全開位置に保持したいときに便利である。
【００６２】
また、磁石９によりプレート４は吸着されるが、仮固定のために、図９（ａ）に示されるような第２の突起１７をプレートの上面に設けることもできる。第２の突起１７が筐体２に設けられた収容部１８に嵌まり込むことにより、鉤５と係合していない状態でも、ドアＤを全開位置で保持することができ、かつ鉤５と係合する際の位置決めの役割も果たすので、ロッド８を下方へスライドさせたときに確実に鉤５と突起７を係合させることができる。
【００６３】
また、図１０〜１２に示されるように、ロッド８の下端をテーパ状に湾曲した形状を呈するように形成し、扉Ｄを開放位置に動かす前に、被押圧部６を押圧し、ロッド８を下方に下げておくことにより、扉Ｄの全開状態で、被押圧部６を押圧しなくても、扉Ｄを全開状態で自動で完全固定することができる。
【００６４】
すなわち、図３に示されるようなロッド８の形状ではなく、図１０〜１３に示されるロッド８の形状は、その下端がテーパ状に湾曲している。図１１に示されるように、ロッド８の下端がテーパ状に湾曲しており、図１０に示されるように、ロッド８が押し下げられたときに、ロッド８の下端が鉤５の先端部と当接する点以外は、同様である。
【００６５】
なお、ロッド８の下端の形状は、図１１（ａ）においては、磁石９により吸着されたプレート４と当接する部分がテーパ状に形成されており、扉Ｄの遠位側から近位側にかけてロッド８の上端から下端の長さが漸増するように形成されている。
【００６６】
また、図１１（ｂ）に示されるように、ロッド８の下端が半円形状を呈するように、形成されてもよいが、図１１（ａ）および（ｂ）の形状はあくまで一例であり、ロッド８に対するプレート４からの横方向（扉方向）の力から、ロッド８を上方へ押し上げる分力が働くようにロッド８の下端が形成されていればよい。
【００６７】
以下、上記下端がテーパ状に湾曲したロッド８を用いた場合の動きを説明する。図１２（ａ）に示されるように、扉Ｄを開放していくと、磁石９によりプレート４は筐体２に吸着される。この状態ではプレート４は、磁石９に吸着されているだけであり、仮固定の状態である。この状態からさらに扉Ｄを開放していくと、プレート４とロッド８のテーパ面とが接触する。さらに扉Ｄを開放していくと、プレート４から横方向に力を受けたロッド８は、上方向に分力を受け、図１２（ｂ）に示されるように、筐体２内に押し上げられる。さらに、扉Ｄを開放していくと、プレート４の先端下方に形成された突起７が鉤５の先端部５ａを越え、ロッド８および被押圧部６の間に連結されている圧縮コイルバネにより下向きの力を受け、磁石６の磁力による筐体２に吸着されていたプレートが、筐体２から離れ、鉤５と係合することにより、完全固定される。
【００６８】
また、完全固定を解除する場合には、被押圧部６を押すことにより、完全固定の状態から、ロッド８が上方へ移動するので、プレート４にロッド８からの下向きの力が無くなり、再度プレート４は磁石６に吸着され（仮固定の状態）、その状態から、扉Ｄを扉Ｄが閉まる方向へ動かすと、プレート４は筐体２から離れ、プレート４は台座３に収納され、扉Ｄを閉めることができる。
【００６９】
このように、ロッド８の下端にテーパ状の湾曲面を形成することにより、扉Ｄを開放位置に開く前に、被押圧部６を押圧しておき、その後扉Ｄを全開位置まで開放することにより、自動で完全固定状態にすることができる。したがって、たとえば重い荷物を持った状態で、扉Ｄを全開状態にしたい場合に、荷物を持つ前にあらかじめ被押圧部６を押圧しておくことにより、扉Ｄの全開状態でわざわざ被押圧部６を押し下げないでも、扉Ｄを全開状態で完全に固定できるというメリットがある。
【００７０】
図８は、本発明の他の実施の形態を示す図である。図８に示される戸当りは、図７に示す実施の形態とは、鉤５が上下方向に移動する点で異なる。鉤５はロッド８の先端に連結されており、ロッド８が上下するのに伴い上下する。すなわち、被押圧部６が押圧されると、ロッド８の上下に伴って、ロッド８の下端に設けられた鉤５も上下する。
【００７１】
図８の実施の形態では、まずドアＤを全開位置まで開放すると、プレート４が磁石９の吸引力により、上方へ旋回し、筐体２の磁石９に吸着される。このとき、ロッド８は下方へ押し下げられた状態であり、鉤５の先端はプレート４の突起７の先端より下方に位置している（図８（ｂ）参照）。プレート４の先端は、筐体２に形成された壁部２ｂに衝突するようになっており、プレート４が壁部２ｂに当接し、かつ磁石９に吸着され、仮止めされる。
【００７２】
そしてドアＤをロックするために、被押圧部６が押圧され、上方へ押し戻されることにより、ロッド８が上方へスライドし、ロッド８の下端に設けられた鉤５を上方へスライドさせる。すると、鉤５の上昇により、鉤５とプレート４の突起７が係合するようになり、確実にドアをロックすることができる（図８（ｃ）参照）。
【００７３】
なお、図８の実施の形態においても、図９（ｂ）に示されるような第２の突起１７を設けることができ、第２の突起１７が筐体２に設けられた収容部１８に嵌まり込むことにより、鉤５と係合していない状態でも、ドアＤを全開位置で仮固定することができ、かつ鉤５と係合する際の位置決めの役割も果たすので、ロッド８を上方へスライドさせたときに確実に鉤５と突起７を係合させることができる。
【図面の簡単な説明】
【００７４】
【図１】本発明の戸当りの一実施の形態を示す斜視説明図である。
【図２ａ】本発明に用いられるプレートの一実施の形態を示す図である。
【図２ｂ】本発明に用いられるプレートの一実施の形態を示す図である。
【図２ｃ】本発明に用いられるプレートの一実施の形態を示す図である。
【図２ｄ】本発明に用いられるプレートの一実施の形態を示す図である。
【図３】本発明における戸当りの一実施の形態を示す図である。
【図４】本発明の図１の磁石を下から見た図である。
【図５】図１のケース内部を上から見た図である。
【図６ａ】図１の磁石におけるロッドのための昇降機構の主要部の動きを示す工程説明図である。
【図６ｂ】図１の磁石におけるロッドのための昇降機構の主要部の動きを示す工程説明図である。
【図６ｃ】図１の磁石におけるロッドのための昇降機構の主要部の動きを示す工程説明図である。
【図６ｄ】図１の磁石におけるロッドのための昇降機構の主要部の動きを示す工程説明図である。
【図７ａ】本発明の戸当りの一実施の形態のプレートと鉤とが係合する工程を示す工程説明図である。
【図７ｂ】本発明の戸当りの一実施の形態のプレートと鉤とが係合する工程を示す工程説明図である。
【図７ｃ】本発明の戸当りの一実施の形態のプレートと鉤とが係合する工程を示す工程説明図である。
【図８ａ】本発明の戸当りの他の実施の形態のプレートと鉤とが係合する工程を示す工程説明図である。
【図８ｂ】本発明の戸当りの他の実施の形態のプレートと鉤とが係合する工程を示す工程説明図である。
【図８ｃ】本発明の戸当りの他の実施の形態のプレートと鉤とが係合する工程を示す工程説明図である。
【図９】本発明に用いられる第２の突起を説明するための図である。
【図１０】本発明に用いられるロッドの他の実施の形態を説明するための図である。
【図１１】本発明に用いられるロッドの他の実施の形態の一例を示す図である。
【図１２】本発明に用いられるロッドの他の実施の形態の動作を説明するための図である。
【図１３】従来のドアの固定状態を示す説明図である。
【図１４】従来の戸当りを示す説明図である。
【図１５】従来の戸当りを示す説明図である。
【符号の説明】
【００７５】
１  台座部分
２  筐体
３  台座
４  プレート
５  鉤
５ａ  先端部
６  被押圧部
７  突起
８  ロッド
９  磁石
１０  圧縮コイルバネ
１１  裏蓋
１２  係止体
１３  突部
１４  当接体
１５  溝
１６  表示部
１７  第２の突起
１８  収容部
１９  ピン
【図１】
2010059759.tif 000003
【図２ａ】
2010059759.tif 000004
【図２ｂ】
2010059759.tif 000005
【図２ｃ】
2010059759.tif 000006
【図２ｄ】
2010059759.tif 000007
【図３】
2010059759.tif 000008
【図４】
2010059759.tif 000009
【図５】
2010059759.tif 000010
【図６ａ】
2010059759.tif 000011
【図６ｂ】
2010059759.tif 000012
【図６ｃ】
2010059759.tif 000013
【図６ｄ】
2010059759.tif 000014
【図７ａ】
2010059759.tif 000015
【図７ｂ】
2010059759.tif 000016
【図７ｃ】
2010059759.tif 000017
【図８ａ】
2010059759.tif 000018
【図８ｂ】
2010059759.tif 000019
【図８ｃ】
2010059759.tif 000020
【図９】
2010059759.tif 000021
【図１０】
2010059759.tif 000022
【図１１】
2010059759.tif 000023
【図１２】
2010059759.tif 000024
【図１３】
2010059759.tif 000025
【図１４】
2010059759.tif 000026
【図１５】
2010059759.tif 000027